(57)【要約】【課題】制動装置の重量が大きくなった場合でも、制動装置を安定に支持させた状態で、巻上機に対する制動装置の脱着を実現できるようにする。【解決手段】本発明は、乗かご及びつり合い錘を昇降させる巻上機１と、この巻上機１の駆動軸１ａに取り付けられたディスク２と、このディスク２を両側から挟圧することによって巻上機１を制動する制動装置と、この制動装置を支持するペデスタル５とを備えたエレベータにあって、制動装置を構成する第１制動装置３あるいは第２制動装置４の交換に際して用いられ、ペデスタル５の２箇所において固定される本体１０と、この本体１０をペデスタル５に固定する第１固定ピン２５及び第２固定ピン２６と、本体１０に取り付けられ、第１制動装置３、第２制動装置４を選択的に楊重するチェーンブロック１４とを備えている。【選択図】図５
2016084199.tif 000002
【特許請求の範囲】
【請求項１】
乗かご及びつり合い錘を昇降させる巻上機と、この巻上機の駆動軸に取り付けられたディスクと、このディスクを両側から挟圧することによって前記巻上機を制動する制動装置と、この制動装置を支持するペデスタルとを備えたエレベータの前記制動装置の交換に際して用いられるエレベータ制動装置の交換装置において、
前記ペデスタルの複数箇所において固定される本体と、
この本体を前記ペデスタルに固定する固定手段と、
前記本体に取り付けられ、前記制動装置を揚重する揚重装置とを備えたことを特徴とするエレベータ制動装置の交換装置。
【請求項２】
請求項１に記載のエレベータ制動装置の交換装置において、
前記本体は、それぞれ前記ペデスタルに固定される第１固定部材及び第２固定部材と、これらの第１固定部材及び第２固定部材のうちのいずれかに取り付けられ、前記揚重装置が連結されるアーム部材とを含み、
前記本体の前記第１固定部材と前記第２固定部材の間隔を調整可能な間隔調整機構を備えたことを特徴とするエレベータ制動装置の交換装置。
【請求項３】
請求項２に記載のエレベータ制動装置の交換装置において、
前記本体の前記第１固定部材及び前記第２固定部材に対する前記アーム部材の高さ位置を調整可能な高さ調整機構を備えたことを特徴とするエレベータ制動装置の交換装置。
【請求項４】
請求項２または３に記載のエレベータ制動装置の交換装置において、
前記制動装置は、隣り合うように設けられる第１制動装置及び第２制動装置から成り、
前記エレベータは、前記第１制動装置及び前記第２制動装置を前記ペデスタルに支持させる複数の支持ピンを備え、
前記複数の支持ピンは、前記第２制動装置に近づく側に位置し、前記第１制動装置を支持する第１内側支持ピンと、前記第２制動装置から離れる側に位置し、前記第１制動装置を支持する第１外側支持ピンと、前記第１制動装置に近づく側に位置し、前記第２制動装置を支持する第２内側支持ピンと、前記第１制動装置から離れる側に位置し、前記第２制動装置を支持する第２外側支持ピンとを含み、
前記ペデスタルは、前記第１内側支持ピンが挿入される第１内側ピン穴、前記第２内側支持ピンが挿入される第２内側ピン穴を有し、
前記揚重装置は、前記第１制動装置、及び前記第２制動装置のうちの少なくとも一方を楊重することを特徴とするエレベータ制動装置の交換装置。
【請求項５】
請求項４に記載のエレベータ制動装置の交換装置において、
前記揚重装置は、前記第１制動装置に取り付けたアイボルト、及び前記第２制動装置に取り付けたアイボルトのうちのいずれかに選択的に係着するフックを備えたチェーンブロックから成ることを特徴とするエレベータ制動装置の交換装置。
【請求項６】
請求項５に記載のエレベータ制動装置の交換装置において、
前記本体の前記第１固定部材は、前記ペデスタルの前記第１内側ピン穴に適合する第１ピン穴を有し、前記本体の前記第２固定部材は、前記ペデスタルの前記第２内側ピン穴に適合する第２ピン穴を有し、
前記固定手段は、前記本体の前記第１固定部材の前記第１ピン穴と前記ペデスタルの前記第１内側ピン穴に挿入されて前記第１固定部材を前記ペデスタルに固定する第１固定ピンと、前記本体の前記第２固定部材の前記第２ピン穴と前記ペデスタルの前記第２内側ピン穴に挿入されて前記第２固定部材を前記ペデスタルに固定する第２固定ピンとを含むことを特徴とするエレベータ制動装置の交換装置。
【請求項７】
請求項６に記載のエレベータ制動装置の交換装置において、
前記間隔調整機構は、
前記本体の前記第１固定部材、及び前記第２固定部材のいずれか一方に設けられ、前記第１ピン穴と前記第２ピン穴を結ぶ方向と略平行な方向に延設された長穴と、
前記長穴に挿入され、前記第１固定部材、及び前記第２固定部材の他方に取り付けられ、前記第１固定部材と前記第２固定部材とを締結する間隔調整ボルトとを含むことを特徴とするエレベータ制動装置の交換装置。
【請求項８】
請求項７に記載のエレベータ制動装置の交換装置において、
前記高さ調整機構は、
前記アーム部材の高さ方向に複数形成された高さ調整穴と、
前記複数形成された高さ調整穴に選択的に挿入され、前記本体の前記第１固定部材、及び前記第２固定部材のうちの少なくとも一方に取り付けられ、前記第１固定部材、及び前記第２固定部材のうちの該当するものと前記アーム部材とを締結する高さ調整ボルトとを含むことを特徴とするエレベータ制動装置の交換装置。
【発明の詳細な説明】
【技術分野】
【０００１】
本発明は、エレベータの乗かご及びつり合い錘を昇降させる巻上機を制動する制動装置の交換に際して活用されるエレベータ制動装置の交換装置に関する。
【背景技術】
【０００２】
エレベータ制動装置の交換装置として特許文献１に示されるものがある。この特許文献１には、１点で支持されるねじ棒を軸中心に回転させ、これに伴って保守作業対象、すなわち交換対象の制動装置を支持ピンを中心に鉛直面内を回動させ、これによって制動体をディスクから離隔させるようにして制動体に対し保守作業を行うことが開示されている。
【先行技術文献】
【特許文献】
【０００３】
【特許文献１】特開２００９−１８８９７号公報
【発明の概要】
【発明が解決しようとする課題】
【０００４】
前述した特許文献１に開示された従来技術は、ねじ棒を１点で支持する１点支持構造であることから、制動体、すなわち巻上機を制動する制動装置の重量が大きくなると、巻上機に対する脱着時の制動体の支持が不安定になる虞がある。このため重量の大きな制動体を交換する場合には、より慎重な作業が要求され、この制動体の交換作業の能率が低下する懸念がある。
【０００５】
本発明は、前述した従来技術における実情からなされたもので、その目的は、制動装置の重量が大きくなった場合でも、制動装置を安定に支持させた状態で、巻上機に対する制動装置の脱着を実現させることができるエレベータ制動装置の交換装置を提供することにある。
【課題を解決するための手段】
【０００６】
前記目的を達成するために、本発明に係るエレベータ制動装置の交換装置は、乗かご及びつり合い錘を昇降させる巻上機と、この巻上機の駆動軸に取り付けられたディスクと、このディスクを両側から狭圧することによって前記巻上機を制動する制動装置と、この制動装置を支持するペデスタルとを備えたエレベータの前記制動装置の交換に際して用いられるエレベータ制動装置の交換装置において、前記ペデスタルの複数箇所において固定される本体と、この本体を前記ペデスタルに固定する固定手段と、前記本体に取り付けられ、前記制動装置を揚重する揚重装置とを備えたことを特徴としている。
【発明の効果】
【０００７】
本発明に係るエレベータ制動装置の交換装置は、固定手段で本体をペデスタルの複数箇所に固定した状態で揚重装置によって制動装置を楊重することにより、ペデスタルに対して制動装置を脱着させ、制動装置を交換することができる。すなわち本発明は、制動装置の重量が大きくなった場合でも、本体をペデスタルの複数個所に固定することにより、制動装置を安定に支持させた状態で、巻上機に対する制動装置の脱着を実現させることができる。これにより本発明は、制動装置の重量が比較的小さい場合はもちろんのこと、重量が大きい場合でも制動装置の交換作業の安全性を確保することができる。また本発明は、制動装置を安定に支持させて巻上機に対して脱着させることができるので、従来に比べて制動装置の脱着作業が簡単になり、この制動装置の交換作業の能率向上に貢献する。
【図面の簡単な説明】
【０００８】
【図１】本発明の交換対象である制動装置の取り付け形態を示す正面図である。
【図２】本発明に係るエレベータ制動装置の交換装置の一実施形態を示す正面図である。
【図３】本実施形態に備えられる固定ピンを示す図で、（ａ）図は正面図、（ｂ）図は側面図である。
【図４】本実施形態を用いて制動装置を取り外す作業を示す図で、本実施形態をペデスタルに取り付けた状態を示す図である。
【図５】本実施形態を用いて制動装置を取り外す作業を示す図で、ペデスタルから第１制動装置を取り外した状態を示す正面図である。
【発明を実施するための形態】
【０００９】
以下、本発明に係るエレベータ制動装置の交換装置の実施の形態を図面に基づいて説明する。
【００１０】
図１は、本発明の交換対象である制動装置の取り付け形態を示す正面図である。
【００１１】
この図１に示すように、本実施形態が用いられるエレベータは、図示しない乗かご及びつり合い錘を昇降させる巻上機１と、この巻上機１の駆動軸１ａに取り付けられたディスク２とを備えている。また、このエレベータは、ディスク２を両側から挟圧することによって巻上機１を制動する制動装置、例えば隣り合うように設けられる第１制動装置３、及び第２制動装置４と、これらの第１制動装置３及び第２制動装置４を支持するペデスタル５とを備えている。
【００１２】
また、このエレベータは、第１制動装置３及び第２制動装置４をペデスタル５に支持させる複数の支持ピンを備えている。この複数の支持ピンは、第２制動装置４に近づく側に位置し、第１制動装置３を支持する第１内側支持ピン２０ａと、第２制動装置４から離れる側に位置し、第１制動装置３を支持する第１外側支持ピン２０ｂとを含んでいる。また、前述の複数の支持ピンは、第１制動装置３に近づく側に位置し、第２制動装置４を支持する第２内側支持ピン２１ａと、第１制動装置３から離れる側に位置し、第２制動装置４を支持する第２外側支持ピン２１ｂとを含んでいる。
【００１３】
また、前述のペデスタル５は、第１内側支持ピン２０ａが挿入される第１内側ピン穴５ａと、第２内側支持ピン２１ａが挿入される第２内側ピン穴５ｂを有している。
【００１４】
図２は、本発明に係るエレベータ制動装置の交換装置の一実施形態を示す正面図、図３は、本実施形態に備えられる固定ピンを示す図で、（ａ）図は正面図、（ｂ）図は側面図、図４は、本実施形態を用いて制動装置を取り外す作業を示す図で、本実施形態をペデスタルに取り付けた状態を示す図、図５は、本実施形態を用いて制動装置を取り外す作業を示す図で、ペデスタルから第１制動装置を取り外した状態を示す正面図である。
【００１５】
本実施形態に係るエレベータ制動装置の交換装置は、巻上機１を制動する前述した第１制動装置３、及び第２制動装置４のうちの少なくとも一方の交換に際して用いられるものである。
【００１６】
図２に示すように、本実施形態は、ペデスタル５の複数箇所、例えば２箇所において固定される本体１０と、この本体１０をペデスタル５に固定する固定手段と、本体１０に取り付けられ、制動装置、すなわち第１制動装置３及び第２制動装置４のうちの少なくとも一方の制動装置を楊重する揚重装置とを備えている。
【００１７】
揚重装置は、第１制動装置３に取り付けた図４，５に示すアイボルト３ａ、及び第２制動装置４に取り付けた図示しないアイボルトのうちのいずれかに選択的に係着するフック１４ａを備えたチェーンブロック１４から成っている。
【００１８】
前述した本体１０は、それぞれペデスタル５に固定される第１固定部材１１及び第２固定部材１２と、これらの第１固定部材１１及び第２固定部材１２のうちのいずれかに、例えば第１固定部材１１に取り付けられ、チェーンブロック１４が先端に連設されるアーム部材１３とを含んでいる。
【００１９】
本体１０の第１固定部材１１は、ペデスタル５の第１内側ピン穴５ａに適合する第１ピン穴１１ａを有している。また、第２固定部材１２は、ペデスタル５の第２内側ピン穴５ｂに適合する第２ピン穴１２ａを有している。
【００２０】
前述した固定手段は、本体１０の第１固定部材１１の第１ピン穴１１ａとペデスタル５の第１内側ピン穴５ａに挿入されて第１固定部材１１をペデスタル５に固定する図３〜５に示す第１固定ピン２５を含んでいる。また、この固定手段は、本体１０の第２固定部材１２の第２ピン穴１２ａとペデスタル５の第２内側ピン穴５ｂに挿入されて第２固定部材１２をペデスタル５に固定する図３〜５に示す第２固定ピン２６を含んでいる。
【００２１】
また、本実施形態は、本体１０の第１固定部材１１と第２固定部材１２の間隔を調整可能な間隔調整機構を備えている。
【００２２】
この間隔調整機構は、図２に示すように、本体１０の第１固定部材１１及び第２固定部材１２のうちのいずれか一方に、例えば第１固定部材１１に設けられ、第１ピン穴１１ａと第２ピン穴１２ａとを結ぶ方向と略平行な方向に延設された長穴３０を含んでいる。また、この間隔調整機構は、前述の長穴３０に挿入され、第１固定部材１１、及び第２固定部材１２のうちの他方に、今の場合は第２固定部材１２に取り付けられ、第１固定部材１１と第２固定部材１２とを締結する間隔調整ボルト３１を含んでいる。
【００２３】
また、本実施形態は、本体１０の第１固定部材１１及び第２固定部材１２に対するアーム部材１３の高さ位置を調整可能な高さ調整機構を備えている。
【００２４】
この高さ調整機構は、図２に示すように、アーム部材１３の高さ方向に複数形成された高さ調整穴４１を含んでいる。また、この高さ調整機構は、複数形成された高さ調整穴４１に選択的に挿入され、本体１０の第１固定部材１１、及び第２固定部材１２のうちの少なくとも一方に設けられ、第１固定部材１１、及び第２固定部材１２のうちの該当するものとアーム部材１３とを締結する高さ調整ボルト４０を含んでいる。
【００２５】
このように構成した本実施形態を用いて、例えば第１制動装置３の交換作業を行うに際しては、図１に示す第１制動装置３を支持していた第１内側支持ピン２０ａと、第２制動装置４を支持していた第２内側支持ピン２１ａとを抜き取る。
【００２６】
次いで、第１制動装置３を第１外側支持ピン２０ｂを中心に第２制動装置４から離れる方向に回動させ、第２制動装置４を第２外側支持ピン２１ｂを中心に第１制動装置３から離れる方向に回動させる。このとき第１制動装置３及び第２制動装置４は、所定の回動角度において保持されるようになっている。
【００２７】
次に第１固定部材１１の長穴３０に挿入されている間隔調整ボルト３１を緩めて、第１固定部材１１の第１ピン穴１１ａと、第１内側支持ピン２０ａを抜き取ったペデスタル５の第１内側ピン穴５ａとを適合させ、これらの第１ピン穴１１ａと第１内側ピン穴５ａとに第１固定ピン２５を挿入する。
【００２８】
また例えば、第２固定部材１２を適宜動かして、この第２固定部材１２の第２ピン穴１２ａと、第２内側支持ピン２０ｂを抜き取ったペデスタル５の第２内側ピン穴５ｂとを適合させ、これらの第２ピン穴１２ａと第２内側ピン穴５ａとに第２固定ピン２６を挿入する。
【００２９】
この状態で間隔調整ボルト３１を締めつけて、この間隔調整ボルト３１によって第１固定部材１１と第２固定部材とを図４に示すように締結する。
【００３０】
次に例えば、第１制動装置３の大きさを考慮して、高さ調整ボルト４０を必要に応じて抜き取り、アーム部材１３の高さ位置を調整し、複数の高さ調整穴４１のうちの最適な高さ調整穴４１に、高さ調整ボルト４０を差し込む。この高さ調整ボルト４０を締め付け、この高さ調整ボルト４０によって第１固定部材１１とアーム部材１３とを図４に示すように締結する。
【００３１】
例えば、このような状態において、同図４に示すように、チェーンブロック１４のフック１４ａを第１制御装置３に取り付けたアイボルト３ａに係着させ、このチェーンブロック１４を操作して、第１制動装置３を吊り上げ、第１制動装置３をペデスタル５に支持させていた第１外側支持ピン２０ｂに対する負荷を軽減させる。
【００３２】
この状態で第１外側支持ピン２０ｂを抜き取ると、図５に示す状態となる。すなわち、巻上機１から第１制動装置３を取り外すことができる。このようにして取り外された第１制動装置３に対して保守作業が実施される。
【００３３】
保守作業が終了した第１制動装置３を図１に示した正規の形態に取り付ける作業は、例えば前述と逆の手順によって行われる。
【００３４】
以上のように、本実施形態に係るエレベータ制動装置の交換装置は、第１固定ピン２５及び第２固定ピン２６で、本体１０をペデスタル５の２箇所に固定した状態で、チェーンブロック１４によって第１制動装置３を楊重することにより、ペデスタル５に対して第１制動装置３を脱着させ、今まで取り付けられていた第１制動装置３を巻上機１から取り外し、保守作業が完了した第１制動装置３に、あるいは新設の第１制動装置３に交換することができる。なお、第２制動装置４を交換する場合も、前述した第１制動装置３の交換手順と同様にして行うことができる。
【００３５】
すなわち本実施形態は、第１制動装置３あるいは第２制動装置４の重量が大きくなった場合でも、本体１０をペデスタル５の２箇所に固定することにより、第１制動装置３、第２制動装置４を安定に支持させた状態で、巻上機１に対する第１制動装置３、第２制動装置４の脱着を実現させることができる。
【００３６】
これにより本実施形態は、第１制動装置３、第２制動装置４を重量が比較的小さい場合はもちろんのこと、重量が大きい場合でも、これらの第１制動装置３、第２制動装置４の交換作業の安全性を確保することができる。
【００３７】
また本実施形態は、第１制動装置３、第２制動装置４を安全に支持させて巻上機１に対して脱着させることができるので、第１制動装置３、第２制動装置４の脱着作業が簡単になり、これらの第１制動装置３、第２制動装置４の交換作業の能率向上に貢献する。
【００３８】
また本実施形態は、ペデスタル５に固定される本体１０の第１固定部材１１と第２固定部材１２の間隔を調整可能な間隔調整機構を備えていることから、異なる型式となるペデスタル５に支持された重量の異なる第１制動装置３、第２制動装置４のそれぞれの交換に際して、本実施形態を適用させることができ、優れた汎用性を確保することができる。
【００３９】
また本実施形態は、チェーンブロック１４が取り付けられるアーム部材１３の高さ位置を調整可能な高さ調整機構を備えていることから、高さ寸法の異なる、すなわち重量の異なる第１制動装置３及び第２制動装置４の交換に際して、本実施形態を適用させることができ、この点でも優れた汎用性を確保することができる。
【００４０】
また本実施形態は、第１制動装置３をペデスタル５に支持させる第１内側支持ピン２０ａが挿入される第１内側ピン穴５ａと、第２制動装置４をペデスタル５に支持させる第２内側支持ピン２１ｂが挿入される第２内側ピン穴５ｂを、本体１０をペデスタル５に固定する第１固定ピン２５及び第２固定ピン２６の挿入穴として活用している。したがって本実施形態は、第１固定ピン２５及び第２固定ピン２６を挿入する挿入穴等をペデスタル５に設けずに済む。すなわち本実施形態は、ペデスタル５に特別な加工等を要することなく、第１制動装置３、第２制動装置４の重量が大きい場合であっても、これらの第１制動装置３及び第２制動装置４の巻上機１に対する脱着作業を安定して行うことができる。これにより本実施形態は、第１制動装置３及び第２制動装置４の脱着に要する費用を低減させることができるとともに、脱着作業の能率を向上させることができる。
【符号の説明】
【００４１】
１    巻上機
１ａ  駆動軸
２    ディスク
３    第１制動装置
３ａ  アイボルト
４    第２制動装置
５    ペデスタル
５ａ  第１内側ピン穴（固定手段）
５ｂ  第２内側ピン穴（固定手段）
１０    本体
１１    第１固定部材
１１ａ  第１ピン穴（固定手段）
１２    第２固定部材
１２ａ  第２ピン穴（固定手段）
１３    アーム部材
１４    チェーンブロック（揚重装置）
１４ａ  フック
２０ａ  第１内側支持ピン
２０ｂ  第１外側支持ピン
２１ａ  第２内側支持ピン
２１ｂ  第２外側支持ピン
２５    第１固定ピン（固定手段）
２６    第２固定ピン（固定手段）
３０    長穴（間隔調整機構）
３１    間隔調整ボルト（間隔調整機構）
４０    高さ調整ボルト（高さ調整機構）
４１    高さ調整穴（高さ調整機構）
【図１】
2016084199.tif 000003
【図２】
2016084199.tif 000004
【図３】
2016084199.tif 000005
【図４】
2016084199.tif 000006
【図５】
2016084199.tif 000007